(57)【要約】【課題】回胴式遊技機のセキュリティー低下を招くことなく、蓋体を開けた筐体内を明るくする機構を当該遊技機に容易に付加するのに好適な遊技媒体の回収タンクを提供する。【解決手段】本発明に係る遊技媒体の回収タンクは、筐体の外部から供給された遊技媒体を用いる回胴式遊技機の前記筐体内に装着されるものであって、前記回胴式遊技機に供給された遊技媒体の余剰を回収して前記筐体の外部に戻すためのものであり、タンク本体と、前記筐体の蓋体の拡開又は閉鎖の状態を検出する検出スイッチと、前記検出スイッチによる前記検出状態を出力する出力端子と、前記検出スイッチによる閉鎖検出に応じて消灯とされ、前記検出スイッチによる拡開検出に応じて発光とされるランプと、を含む。【選択図】図３
2019141209.tif 000002
【特許請求の範囲】
【請求項１】
筐体の外部から供給された遊技媒体を用いる回胴式遊技機の前記筐体内に装着されるものであって、前記回胴式遊技機に供給された遊技媒体の余剰を回収して前記筐体の外部に戻すための遊技媒体の回収タンクであり、
タンク本体と、
前記筐体の蓋体の拡開又は閉鎖の状態を検出する検出スイッチと、
前記検出スイッチによる前記検出状態を出力する出力端子と、
前記検出スイッチによる閉鎖検出に応じて消灯とされ、前記検出スイッチによる拡開検出に応じて発光とされるランプと、を含むことを特徴とする遊技媒体の回収タンク。
【請求項２】
請求項１において、前記検出スイッチ及び前記ランプは前記タンク本体に取り付けられていることを特徴とする遊技媒体の回収タンク。
【請求項３】
請求項１において、前記検出スイッチは前記タンク本体に取り付けられ、前記ランプは前記タンク本体から分離されていることを特徴とする遊技媒体の回収タンク。
【請求項４】
請求項１において、拡開検出に応じて前記ランプを点滅させて発光とする発光制御回路を更に有することを特徴とする遊技媒体の回収タンク。
【請求項５】
請求項４において、前記発光制御回路は、前記ランプを点滅させて発光とする第１モードと前記ランプを点灯させて発光とする第２モードとを切換え可能に有すると共に、前記第１モードと第２モードの切換え信号を入力する、ことを特徴とする遊技媒体の回収タンク。
【請求項６】
請求項１において、前記ランプは第１のランプと第２のランプを含み、
前記第１のランプは拡開された前記蓋体から筐体の外に光を照射する向の第１の光軸の配置に向けられ、
前記第２のランプは拡開された前記蓋体に対して筐体内部に光を照射する向きの第２の光軸の配置に向けられる、ことを特徴とする遊技媒体の回収タンク。
【請求項７】
請求項１乃至６の何れか１項記載の遊技媒体の回収タンクが装着され、且つ前記出力端子に接続された信号線が前記筐体の外に引き出されて成ることを特徴とする回胴式遊技機。
【発明の詳細な説明】
【技術分野】
【０００１】
本発明は、スロットマシン又はパチスロ機等に代表される回胴式遊技機に装着される遊技媒体の回収タンク、及び前記遊技媒体の回収タンクを備えた回胴式遊技機に関する。
【背景技術】
【０００２】
回胴式遊技機は、遊技者がメダル等の遊技媒体の賭数を設定して操作開始され、操作開始されると外周に図柄列の描かれた回胴としての複数のリールが回転し、回転に従って窓から逐次図柄が可変表示され、その後のストップ操作によって各リールの回転が停止されたとき、停止時の表示図柄の組み合わせに応じた遊技結果が得られる。例えば各リール部の表示図柄が所定の組合せに並ぶと、遊技者には、設定された賭数および入賞内容に応じた枚数の遊技媒体が払い出される。
【０００３】
回胴式遊技機から遊技者に払い出される遊技媒体は予め遊技機外部から供給された遊技媒体又は遊技者が遊技に先だって投入した遊技媒体が当てられるが、払い出した遊技媒体の数以上に供給され又は投入された遊技媒体の数が多くなると、該遊技媒体は、払い出し装置からオーバフローする。このため、オーバフローした遊技媒体は一旦回収タンクに蓄積され、適宜遊技機から回収装置に搬出されて循環的に再利用される。
【０００４】
この種の遊技機では不正防止の観点から回胴、払い出し制御機器及び遊技媒体の搬入出機構などの内部装置を筐体の本体内に収容し、本体の正面開口部を蓋体で塞いで施錠又は固着し、蓋体の表面に操作部及び表示部を設けた筐体構造を採用して、セキュリティーの強化が図られている。また、遊技媒体の供給には外部の補給装置の補給ホースを筐体に接続すればよく、遊技媒体の搬出には外部の回収装置に排出シュートを接続すればよいので、遊技媒体の搬入出に際しても筐体の蓋体を開ける必要がないので、この点においてもセキュリティーが強化されている。この種の回胴式遊技機の構造については特許文献１，２に記載がある。
【先行技術文献】
【特許文献】
【０００５】
【特許文献１】特開２００５−１４３６８３号公報
【特許文献２】特開２００１−２１２２８２号公報
【発明の概要】
【発明が解決しようとする課題】
【０００６】
遊技者による回胴式遊技機への不正な改造や遊技媒体の盗難等に対するセキュリティー強化のために回胴式遊技機の内部は外部から容易にアクセスできないようになっているが、故障時やメンテナンス時に遊技機の蓋体を開かなければならない。遊技場の営業時間内ではそれが不正行為（不正な改造や遊技媒体の窃盗行為等）か正規行為（故障時又はメンテナンス時の対応行為等）かどうかを把握できるように考慮した構成が望まれる（第１の点）。更に、正規行為に際して蓋体を開いても筐体内部は暗いので懐中電灯などを用いて個別対応していたので作業性の悪化を免れなかった（第２の点）。
【０００７】
上記第１の点については回胴式遊技機の筐体に開閉検出スイッチを設けて蓋体の開閉検出を行えばよいであろうが、設計や仕様変更に対して逐一当局の許認可を受けなければならない性質の回胴式遊技機の場合には、筐体に孔をあけて検出スイッチを取り付けるといった僅かな仕様や設計の変更であっても遊技機全体として新たな許認可を得なければならず、大幅に手間と時間を要することが想定され、現実的手段たり得ないことが判った。既に遊技場で稼働中の遊技機を改良しようとすれば、新旧全ての機種に対して新たな許認可が必要になり、なおさら実現には困難を伴う。
【０００８】
上記第２の点については、筐体内部にランプを設けて蓋体を開けた時点灯させればよいであろうが、これも上記同様に仕様や設計変更に対する全体として新たな許認可を得なければならず手間と時間を大幅に要することが想定される。
【０００９】
本発明の目的は、回胴式遊技機のセキュリティー低下を招くことなく、蓋体を開けた筐体内を明るくする機構を当該遊技機に付加するのに好適な遊技媒体の回収タンクを提供することにある。
【００１０】
本発明の更に別の目的は、筐体の蓋体を開けて行う作業性の向上と蓋体を開けた不正アクセスの抑制とを容易に達成できる回胴式遊技機を提供することにある。
【００１１】
本発明の前記並びにその他の目的と新規な特徴は本明細書の記述及び添付図面から明らかになるであろう。
【課題を解決するための手段】
【００１２】
〔１〕本発明に係る遊技媒体の回収タンク（２０，２０＿１）は、筐体（２）の外部から供給された遊技媒体（３）を用いる回胴式遊技機（１）の前記筐体内に装着されるものであって、前記回胴式遊技機に供給された遊技媒体の余剰を回収して前記筐体の外部に戻すためのものであり、
タンク本体（２１）と、
前記筐体の蓋体（２Ｂ）の拡開又は閉鎖の状態を検出する検出スイッチ（２２）と、
前記検出スイッチによる前記検出状態を出力する出力端子（２２Ｄ）と、
前記検出スイッチによる閉鎖検出に応じて消灯とされ、前記検出スイッチによる拡開検出に応じて発光とされるランプ（２３）と、を含む。
【００１３】
これによれば、回胴式遊技機はその筐体構造と遊技機能の仕様及び構造が許認可の対象になり、回胴式遊技機の筐体内に装着される遊技媒体の回収タンクは回胴式遊技機の補給装置及び回収装置と共に回胴式遊技機の許認可とは別の許認可の対象になっている現状を踏まえると、前記回収タンクに検出スイッチ及びランプを設けることは、既存の回収タンクに検出スイッチ及びランプを追加したり、検出スイッチ及びランプを追加した新たな回収タンクを遊技機に採用したりする場合にも、許認可の対象は一部品である回収タンクの範囲で済み、その手間と時間を大幅に削減することができる。前記ランプは視認性という点で筐体内の作業性を向上させる。筐体の蓋体が開けられたとき筐体内部がランプに照らし出されると、不正行為もし易くなるが、検出スイッチはランプの発光と消灯だけに適用されるというものではなく、検出スイッチによる前記検出状態の出力端子を有するので、これを信号線を介して遊技機の外部に容易に引き出すことができ、蓋体を不正に開けた不正アクセスに対するセキュリティー管理を遊技機の制御システム側で容易に実現できるようになる。
【００１４】
〔２〕項１において、前記検出スイッチ及び前記ランプは前記タンク本体に取り付けられている。これにより、タンク本体と附帯機器との一体性が容易に実現される。
【００１５】
〔３〕項１において、前記検出スイッチは前記タンク本体に取り付けられ、前記ランプは前記タンク本体から分離されている。これによれば、前記ランプを筐体内の適位置に自由に配置でき、光の照射位置や向きの設定に対する自由度が増し、作業性を一層向上させることが可能になる。
【００１６】
〔４〕項１において、拡開検出に応じて前記ランプを点滅させて発光とする発光制御回路（３０）を更に有する。これにより、正規作業の視認性は劣るが不正アクセスに対して注意喚起機能を向上させることができる。
【００１７】
〔５〕項４において、前記発光制御回路は前記ランプを点滅させて発光とする第１モードと前記ランプを点灯させて発光とする第２モードとを切換え可能に有すると共に、前記第１モードと第２モードの切換え信号（ＭＯＤＥ）を入力する。これによれば、回路部品の追加が必要になるが正規作業の視認性低下を抑制することができる。
【００１８】
〔６〕項１において、前記ランプは第１のランプと第２のランプを含み、前記第１のランプは拡開された前記蓋体から筐体の外に光を照射する向の第１の光軸の設定に向けられ、前記第２のランプは拡開された前記蓋体に対して筐体内部に光を照射する向きの第２の光軸の設定に向けられる。これによれば、光軸を変えて複数のランプを配置するだけでよいから正規作業の視認性と不正アクセスに対するセキュリティーを共に向上させることが項４に比べて容易である。
【００１９】
〔７〕本発明に係る回胴式遊技機は、項１乃至６の何れか１項記載の遊技媒体の回収タンクが前記筐体に装着され、且つ前記出力端子に接続された信号線（２５，３６）が前記筐体の外に引き出されて成る。これにより、筐体の蓋体を開けて行う作業性の向上と蓋体を開けた不正アクセスの抑制とを達成できる回胴式遊技機が容易に実現される。
【発明の効果】
【００２０】
本発明によれば、回胴式遊技機のセキュリティー低下を招くことなく、蓋体を開けた筐体内を明るくする機構を当該遊技機に容易に付加するのに好適な遊技媒体の回収タンクを提供することができる。また、筐体の蓋体を開けて行う作業性の向上と蓋体を開けた不正アクセスの抑制とを容易に実現した回胴式遊技機を提供することができる。
【図面の簡単な説明】
【００２１】
【図１】本発明に係る遊技媒体の回収タンクを備えた回胴式遊技機を蓋体の拡開状態で示す側面斜視図である。
【図２】図１の回胴式遊技機を蓋体の図示を省略した状態で示す正面斜視図である。
【図３】本発明に係る遊技媒体の回収タンクの詳細な一例を示す正面斜視図である。
【図４】検出スイッチの検出端の変位を平面（Ａ）と正面（Ｂ）によって示す説明図である。
【図５】遊技媒体の回収タンクを回胴式遊技機の外部に接続する配線の敷設形態を例示する正面図である。
【図６】本発明に係る遊技媒体の回収タンクとして検出スイッチとは別に発光制御回路を追加した例を詳細に示す正面斜視図である。
【図７】回胴式遊技機において筐体の本体にもランプが配置された一例を蓋体の図示を省略して示す正面図である。
【図８】回胴式遊技機においてランプを補給シュートにも追加した一例を蓋体の図示を省略して示す正面斜視図である。
【発明を実施するための形態】
【００２２】
図１に例示される回胴式遊技機（例えばスロットマシン又はパチスロ機）１は、箱型の本体２Ａを蓋体２Ｂで閉鎖固定した筐体２に形成され、多数個が遊技場の島に並列的に配置されて使用される。島には各回胴式遊技機１にメダルに代表される遊技媒体３を供給する補給装置（図示を省略）と回収装置（図示を省略）が遊技者から隠蔽された状態で設置されている。本体２Ａ及び蓋体２Ｂは金属、材木、樹脂など適宜の素材を用いて組み立てられている。
【００２３】
図１に例示されるように蓋体２Ｂの前面には遊技媒体３の投入口４及び排出口５、回胴（リール）の表示窓６、そして図示を省略する操作盤や各種ディスプレイが配置されている。特に図示はしないが、蓋体２Ｂは本体２Ａにその長手の一辺部分でヒンジを介して開閉可能（矢印Ａ方向）に枢着され、錠前又はロックボルト（図示を省略）などで施錠されて本体２Ａに蓋体２Ｂが閉鎖固定されている。錠前又はロックボルトを外せば本体２Ａに対して蓋体２Ｂを拡開することができ、この意味において蓋体２Ｂは開閉扉としても機能する。
【００２４】
筐体２の本体２Ａ内には、遊技装置１１、払い出し装置１２、補給シュート１３、回収タンク２０及び制御装置１５が設けられている。
【００２５】
遊技装置１１は、例えば円周面に複数の図柄（図示を省略）が記載された複数のリール１１Ａが同心でモータ駆動可能にリールボックス１１Ｂに回転可能に支持されて構成される。複数のリール１１Ａが回転停止されたとき各リール１１Ａの一つの図柄が横一列で表示窓６から表示されるようになっている。
【００２６】
補給シュート１３は図示を省略する補給装置にその上端開口が補給ホース（図示せず）で接続され、適宜のタイミングで遊技媒体３が供給される。供給された遊技媒体３は補給シュート１３を滑り落ち、下端開口から払い出し装置１２に導かれる。
【００２７】
払い出し装置１２は、ホッパー１２Ａと計数取り出し部１２Ｂから成る。ホッパー１２Ａは補給シュート１３から供給された遊技媒体及び投入口から投入された遊技媒体を受け取って貯留し、貯留した遊技媒体は遊技結果に応じて計数取り出し部１２Ｂによる払い出しに利用され、また、ホッパー１２Ａから溢れた遊技媒体は回収タンク２０に放出される。計数取り出し部１２Ｂは遊技結果に応じた枚数の遊技媒体を計数しながらホッパー１２Ａの出口１２Ｃに導いて排出口５から排出させる。
【００２８】
制御装置１５は回胴式遊技機１の遊技動作に関する全体的な制御を行うもので、投入口４から投入された遊技媒体の枚数管理、操作盤から入力された操作情報の管理、操作盤や各種ディスプレイの表示制御、リール装置１１の回転駆動制御、操作盤で設定された賭数とリール１１Ａの回転停止位置に応じた入賞枚数の演算制御、演算した入賞枚数に応じた払い出し装置１２による遊技媒体の払い出し制御などを行う。
【００２９】
回収タンク２０は、タンク本体２１を主体に、前記筐体２の蓋体２Ｂの拡開又は閉鎖の状態を検出する検出スイッチ２２と、検出スイッチ２２による閉鎖検出に応じて消灯とされ且つ検出スイッチ２２による拡開検出に応じて発光とされるランプ２３が当該タンク本体２１設けられている。筐体２の本体２Ａに対する回収タンク２０の配置は図２で更に明瞭に示されている。図１及び図２は回収タンク２０を背面側から見た状態を図示しており、これを正面側から見た状態は図３に詳しく示される。
【００３０】
図３に示されるように、タンク本体２１は底面に開閉可能なシャッター（図示せず）を有する箱型のベース部２１Ａにタンクホッパー２１Ｂが収容され、ベース部２１Ａの背面板の一部を上方に延在させた起立部２１Ｃが形成されている。起立部２１Ｃの突端部分に前記ランプ２３が光軸を正面に向けて配置されている。尚、上記シャッターは前記回収装置の異常発生に際して閉じられることによって個々の遊技機１の閉じた空間内で遊技媒体３の管理を可能とするものである。
【００３１】
検出スイッチ２２は、特に制限されないが、図３から明らかなように入力端子２２Ｃと出力端子２２Ｄを有し、スイッチボックス２２Ａの側面から可撓性の検出棒２２Ｂが突出され、入力端子２２Ｃと出力端子２２Ｄに接続する接点の接続と遮断を検出棒２２Ｂの撓み状態に応じて、決定するようになっている。例えば、検出棒２Ｂが図４の破線の位置で示されるように撓んだ状態では入力端子２２Ｃと出力端子２２Ｄに接続する接点が遮断状態にされ、図４の実線の位置で示されるような真直状態では入力端子２２Ｃと出力端子２２Ｄに接続する接点が接続状態にされ、これによってスイッチ動作を行う。図１の本体２Ａが蓋体２Ｂで閉鎖された状態では検出棒２Ｂが撓んで接点オフ、本体２Ａから蓋体２Ｂが拡開した状態では検出棒２Ｂが真直になって接点オンになる。接点のオフ・オン状態によって本体２Ａに対する蓋体２Ｂの閉鎖・拡開状態が検出可能になる。特に制限されないが、上記接点のオフ状態によって出力端子２２Ｄは回路の設置電圧に接続される。
【００３２】
この例では、特に制限されないが、入力端子２２Ｃに接続した配線２４には回胴式遊技機１の外部から１２Ｖのような電源電圧を供給し、出力端子２２Ｄに接続した配線２５にはランプ２３の電源端子を接続する構成を想定する。このとき、出力端子２２Ｄには蓋体２Ｂの拡開状態において１２Ｖのような電圧が出力されることになり、そのような１２Ｖの電圧は蓋体２Ｂの閉鎖状態において出力端子２２Ｄに得られる電圧よりも高い電圧（ハイレベル）になるから、出力端子２２Ｄは検出スイッチ２２による蓋体２Ｂの拡開状態を出力する出力端子の一例とされる。したがってこの例の場合、出力端子２２Ｄに接続される信号線２５は、ランプへ点灯電源を供給すると共に、蓋体２Ｂの拡開検出信号として遊技機１の外部にあるセキュリティーシステムに通知する、機能を実現するための手段となる。信号線２４，２５を回胴式遊技機１の本体２Ａ内から外部へ引き出す経路の一例は図５に示される通りである。本体２Ａにはその表裏に貫通する貫通孔１６が形成され、ここに配線２４，２５を通している。尚、本明細書では回路の電源電圧の供給経路については図示してあるが、簡略化のために回路の接地電圧については図示を省略しているが、ランプ２３などの回路部品には接地電圧が供給されていることは言うまでもない。更に、図１及び図２では配線２４，１５の図示は省略してある。
【００３３】
次に、制御装置を付加した別の回収タンク２０＿１の例について図６に基づいて説明する。図３の回収タンク２０との相違は、検出スイッチ２２に接続した発光制御回路３０を設けた点である。
【００３４】
発光制御回路３０は、特に制限されないが、検出スイッチ２２による拡開検出に応じてランプ２３を点滅させて発光する発光駆動回路を内蔵すると共に、ランプ２３を点滅させて発光とする第１モードと前記ランプ２３を点灯させて発光とする第２モードとを切換え可能に有する。この発光制御回路３０は、電源端子３０Ａ、モード端子３０Ｂ、発光駆動端子３０Ｃ、及び検出信号入力端子３０Ｄを有する。
【００３５】
電源端子３０Ａは検出スイッチ２２の入力端子２２Ｃに配線３１で結合され、電源端子３０Ａに接続された配線３３を介して外部から電源電圧Ｖｄｄが供給される。モード端子３０Ｂには配線３４を介して外部からモード信号ＭＯＤＥが供給される。モード信号ＭＯＤＥはその論理レベルに従って上記第１モードと第２モードの切換えを指示する信号である。検出スイッチ２２の出力端子２２Ｄは検出信号入力端子３０Ｄに結合される。発光制御回路３０は電源電圧Ｖｄｄを動作電源とし、モード信号ＭＯＤＥで指示される動作モードを判別する。検出信号入力端子３０Ｄに入力された検出信号がハイレベル（蓋体２Ｂの拡開検出状態）であれば、第１モードのときは発光駆動端子３０Ｃから点滅発光用の駆動電圧波形を出力し、第２モードのときは発光駆動端子３０Ｃから点灯発光用の駆動電圧波形を出力し、また、検出信号がローレベル（蓋体２Ｂの閉鎖検出状態）であれば発光駆動端子３０Ｃの出力を非活性（非点灯レベルである接地電圧）とする。発光駆動端子３０Ｃの出力は当該端子３０Ｃに接続された配線３５を介してランプ２３に供給される。また、検出信号入力端子３０Ｄは配線３６に接続され、検出スイッチ２２の出力信号を蓋体２Ｂの閉鎖又は拡開検出信号として遊技機１の外部に伝達可能にされている。その他の構成については図３と同様であるので、それと同一機能を有する構成部材には同じ符号を付してその詳細な説明は省略する。
【００３６】
以上説明した図３の回収タンク２０及び図６の回収タンク２０＿１によれば以下の作用効果を得る。即ち、回胴式遊技機１はその筐体構造と遊技機能の仕様及び構造が許認可の対象になり、回胴式遊技機１の筐体２内に装着される遊技媒体３の回収タンク２０，２０＿１は回胴式遊技機１の補給装置及び回収装置と共に遊技機１の許認可とは別の許認可の対象になっている現状を踏まえると、前記回収タンク２０，２０＿１に検出スイッチ２２，２３及びランプを設けることは、既存の回収タンクに検出スイッチ及びランプを追加したり、検出スイッチ及びランプを追加した新たな回収タンクを回胴式遊技機に採用したりする場合にも、許認可の対象は一部品である回収タンクの範囲で済み、その手間と時間を大幅に削減することができる。更に、ランプ２３は視認性という点で筐体２内の作業性を向上させる。筐体２の蓋体２Ｂが開けられたとき筐体２内部がランプ２３に照らし出されると、不正行為もし易くなるが、検出スイッチ２２はランプ２３の発光と消灯だけに適用されるだけではなく、検出スイッチ２２による前記検出状態の出力端子２２Ｄを有するので、出力端子２２Ｄの状態を、信号線２５，３６を介して回胴式遊技機１の外部に容易に引き出すことができ、蓋体２Ｂを不正に開けた不正アクセスに対するセキュリティー管理を回胴式遊技機１の制御システム側で容易に実現することができる。
【００３７】
特に図６のように、拡開検出に応じてランプ２３を点滅させて発光可能な発光制御回路３０を採用すれば、不正アクセスに対して注意喚起を増して上記セキュリティーを一層向上させることができる。発光制御回路３０がランプ２３を点滅させて発光とする第１モードと点灯させて発光とする第２モードとを切換え可能であれば、不正アクセスに対しては点滅発光により注意喚起を増すことができセキュリティー強化に通じ、メンテナンスなどの正規作業では点灯発光によって視認性の低下を抑制して、良好な作業を保証できるようになる。
【００３８】
また、上記回収タンク２０（２０＿１）を採用し、出力端子２２Ｄに接続された信号線２５（３６）を筐体２の外に引き出して回動式遊技機１を構成するので、筐体２の蓋体２Ｂを開けて行う作業性の向上と蓋体２Ｂを開けた不正アクセスの抑制とを達成できる回胴式遊技機１が容易に実現される。
【００３９】
以上説明した回収タンク２０，２０＿１の場合にはランプ２３は当該回収タンクの起立部２１Ｃに一つ設けたが、本発明はそれに限定されない。
【００４０】
例えば、ランプを回収タンクとは分離させて配置してもよい。その場合にランプは磁石などを用いて筐体２の適位置に据え置きすればよい。
【００４１】
また、第１のランプと第２のランプのように複数個設けてもよい。特に図示はしないが、その場合には、第１のランプは拡開された蓋体から筐体の外に光を照射する向の第１の光軸の設定に向けられ、第２のランプは拡開された前記蓋体に対して筐体内部に光を照射する向きの第２の光軸の設定に向けられることを考慮して、第１のランプと第２のランプを起立部２１Ｃに配置しておくとよい。これによれば、複数のランプを光軸を変えて配置するだけでよいから、正規作業の視認性と不正アクセスに対する注意喚起（セキュリティー強化）の双方を簡単に向上させることができる。
【００４２】
更に、上述のように光軸を相違させて複数個のランプを配置する場合には、ランプは回収タンクとは別置きであってもよい。更に図７に例示されるように筐体２の本体２Ａに予め配置されたランプ４０があれば、これを回収タンク２０（２０＿１）を用いてランプ２３と同期的に発光制御しても良い。
【００４３】
また、補給装置に接続される補給シュート１３に対して、回収タンク２０，２０＿１と同様の蓋体検出機構及びランプを追加する構成を採用することも可能である。この場合の構成については当業者であれば図３及び図６に基づいて容易に実現できると考えられるので、その詳細な構成については図示を省略するが、図８には補給シュート１３の先端部にランプ４１を配置した例を示しておく。
【００４４】
以上本発明者によってなされた発明を具体的に説明したが、本発明はそれに限定されるものではなく、その要旨を逸脱しない範囲において種々変更可能であることは言うまでもない。回胴式遊技機において本発明とは直接関係ない構成要素については必要に応じて適宜変更可能であり、また、別の構成が付加されていても、本発明の要旨に何ら影響を与えない。本発明はゲームセンタや遊園地等に設置される回胴式遊技機にも適用可能であることは言うまでもない。
【符号の説明】
【００４５】
１  回胴式遊技機
２  筐体
２Ａ  箱型の本体
２Ｂ  蓋体
３  遊技媒体
４  投入口
５  排出口
１１  遊技装置
１１Ａ  リール
１１Ｂ  リールボックス
１２払出し装置
１２Ａ  ホッパー
１２Ｂ  計数取出し部
１２Ｃ  出口
１３  補給シュート
１５  制御装置
１６  貫通孔
２０  回収タンク
２１  タンク本体
２０＿１  回収タンク
２１Ａ  ベース部
２１Ｂ  タンクホッパー
２１Ｃ  起立部
２２  検出スイッチ
２２Ｃ  入力端子
２２Ｄ  出力端子
２２Ａ  スイッチボックス
２２Ｂ  検出棒
２３  ランプ
２４、２５  配線
３０  発光制御回路
３０Ａ  電源端子
３０Ｂ  モード端子
３０Ｃ  発光駆動端子
３０Ｄ  検出信号入力端子
３１，３３，３４，３５，３６  配線
４０，４１  ランプ
Ｖｄｄ  電源電圧
ＭＯＤＥ  モード信号
【図１】
2019141209.tif 000003
【図２】
2019141209.tif 000004
【図３】
2019141209.tif 000005
【図４】
2019141209.tif 000006
【図５】
2019141209.tif 000007
【図６】
2019141209.tif 000008
【図７】
2019141209.tif 000009
【図８】
2019141209.tif 000010